(57)【要約】      （修正有）【課題】電気こたつの四本の脚部と天板からなる天板の下面に取付けたヒーターから脚部の上部を介して下部に至るコードの取り巻きを、安全且つ美的審美感を高めた配線を提供する。【解決手段】ヒーターＨに繋がるコードＣは天板裏面２から天板１の底面四隅に配置した脚部３の一つに至り、上記脚部の上端から下端付近３Ｂに渡ってコード収納溝５を凹設し、上記コード収納溝内に上記ヒーターに繋がる上記コードを収納、上記コード収納溝の下端に設置したコネクタ７にコードの電源側Ｄ１がコンセントＰ２を介して接続される。【選択図】図１
0003216342.tif 000002
【実用新案登録請求の範囲】
【請求項１】
電気こたつの天板の底面に取付けたヒーターと繋がるコードを脚部に導く電気こたつの配線において、上記ヒーターに繋がる上記コードは上記天板底面から上記天板の底面四隅に配置した脚部の一つに至り、上記脚部の上端から下端付近に渡ってコード収納溝が凹設され、上記コード収納溝内に上記ヒーターに繋がる上記コードを収納するとともに、上記コード収納溝の下端付近に設置したコネクタに上記コードの電源側が接続され、上記コネクタは部屋の壁面等に配置したコンセントにプラグで繋がれる延長コードの負荷側となる接続具と着脱自在に接続される構成とした電気こたつの配線。
【請求項２】
電気こたつの天板の下面に取付けたヒーターと繋がるコードを脚部に導く電気こたつの配線において、上記ヒーターに繋がる上記コードは上記天板底面から上記天板の底面四隅に配置した脚部の一つに至り、上記脚部の上端から下端付近に渡って脚部内にコード収納孔が明けられ、上記コード収納孔内に上記ヒーターに繋がる上記コードを収納するとともに、上記コード収納孔の下端付近に設置したコネクタに上記コードの電源側が接続され、上記コネクタは部屋の壁面等に配置したコンセントにプラグで繋がれる延長コードの負荷側となる接続具と着脱自在に接続される構成とした電気こたつの配線。
【請求項３】
請求項１による電気こたつの配線において、上記コードを収納した上記コード収納溝の表面に、上記コードのクリップ又は保護カバーを設けてなる電気こたつの配線。
【考案の詳細な説明】
【技術分野】
【０００１】  本考案は、電気こたつの配線に係わり、特に、四本の脚部と天板からなるやぐらこたつの天板の下面（底面とも言う）に取付けたヒーターから脚部の上部を介して下部に至るコードの取り巻きを安全且つ審美感を高めるとともに、こたつ敷から部屋の壁面に設置したコンセントに至る配線に関するものである。
【背景技術】
【０００２】  従来、電気こたつの天板の下面（底面とも言う）に取付けたヒーターからのコードは、天板の下面に取付けたコード引掛具に引き掛けて脚部付近に垂れ下げ、こたつ敷布団（こたつ敷）の上面又は、敷布団（こたつ敷）にコードを通す穴を明け、ここからこたつ敷の下から掛ふとんの外に導き、部屋の壁面に設置したコンセントにコード先端のプラグを差し込んでいるものが提案されている例えば、特許文献１参照。）。【０００３】  また、こたつ敷きの上に置いた電気こたつのコードを、こたつ敷き上面から隠して外観を良くし、引っかける危険を無くすものがある。その構成は、こたつ敷き１の電気こたつ１０の脚１２を置く部分の近くに、コード１３を通す開口孔２を設けている。ヒーター１１から脚１２の下端位置に導いたコード１３を、開口孔２からこたつ敷き１の下面に通す。このコード１３をこたつ敷き１の電気こたつ１０の周囲になる部分の下を這わせてコンセント１５に接続させる構成である（例えば、特許文献２参照。）。
【先行技術文献】
【特許文献】
【０００４】
【特許文献１】公開実用昭和５６−１１５９８６号公報
【特許文献２】特開２００１−２６３６８３号公報
【考案の概要】
【考案が解決しようとする課題】
【０００５】  上記公開実用昭和５６−１１５９８６号公報は、天板の下面に取付けたヒーターと繋がるコードをコード引掛具に引き掛けて脚部付近に垂れ下げられた形式であるから、こたつの中に足腰を入れ込んだり出るとき、こたつ内の垂れ下げられたコードが邪魔となって引張ったり・押し込んだり・踏み付けたりする。これにより、こたつに入るときの不快感を招くばかりか、コードの導線を短絡又は切断を招き、コードの寿命を短くすると言う問題点が見られる。【０００６】  上記特開２００１−２６３６８３号公報は、天板の下面に取付けたコード引掛具に引き掛けて脚部付近に垂れ下がらないように、脚部にコードを巻き付ける方法が図示されているものの、使用時にコード緩みが見られる他、コードをこたつ敷き開口孔からこたつ敷きの下面に通し、このコードをこたつ敷きの電気こたつの周囲になる部分の下を這わせて外部のコンセントに接続させているから、こたつ敷きのコード緩みで、脚部に巻き付けたコード緩みを起こし、こたつの中に足腰を入れ込むとき、こたつ内の垂れ下げられたコードが邪魔となって引張ったり・押し込んだり・踏み付けたりするに至る。更に、シーズンオフや部屋の掃除で、こたつとこたつ敷きを分離するとき、開口孔に通したコードが両者（脚とこたつ敷き）を拘束し合って掃除に無用な手間が掛かってしまうと言う問題点が見られる。更に、シーズオフ時に、こたつの脚を折畳んで仕舞うとき、コードが脚に巻付けていると作業性とコード処理を難解にすることになる。【０００７】  本考案は、上記２つの公知例となる電気こたつに於ける問題点に鑑みてなさされたもので、（１）ヒーターから脚部の上部を介して下部に至るコードの邪魔を解消した取り巻きを工夫し、安全且つ審美感を高めた。（２）更に、シーズンオフや部屋の掃除時に、こたつとこたつ敷きを分離するとき、開口孔に通したコード部分（脚とこたつ敷きのコード部分）に接続具（コネクタ）を設けて分離性と接続性を高めることで、こたつの組立分離の作業性とコード処理を簡便にした。
【課題を解決するための手段】
【０００８】  上記目的を達成すべく本考案の請求項１による電気こたつの配線は、電気こたつの天板の下面に取付けたヒーターと繋がるコードを脚部に導く配線において、上記ヒーターに繋がる上記コードは上記天板裏面から上記天板の底面四隅に配置した脚部の一つに至り、上記脚部の上端から下端付近に渡ってコード収納溝が凹設され、上記コード収納溝内に上記ヒーターに繋がる上記コードを収納するとともに、上記コード収納溝の下端付近に設置したコネクタに上記コードの電源側が接続され、上記コネクタは部屋の壁面等に配置したコンセントにプラグで繋がれる延長コードの負荷側となる接続具と着脱自在に接続される構成とした。【０００９】  本考案の請求項２による電気こたつの配線は、電気こたつの天板の下面に取付けたヒーターと繋がるコードを脚部に導く配線において、上記ヒーターに繋がる上記コードは上記天板裏面から上記天板の底面四隅に配置した脚部の一つに至り、上記脚部の上端から下端付近に渡って脚部内にコード収納孔が明けられ、上記コード収納孔内に上記ヒーターに繋がる上記コードを収納するとともに、上記コード収納孔の下端付近に設置したコネクタに上記コードの電源側が接続され、上記コネクタは部屋の壁面等に配置したコンセントにプラグで繋がれる延長コードの負荷側となる接続具と着脱自在に接続される構成とした。【００１０】  本考案の請求項３による電気こたつの配線は、請求項１による電気こたつの配線において、上記コードを収納した上記コード収納溝の表面に、上記コードのクリップ又は保護カバーを設けてなることを特徴とする。
【考案の効果】
【００１１】  本考案の請求項１と２の電気こたつの配線によると、ヒーターから脚部の上部を介して下部に至るコードの邪魔を解消した取り巻きとなり、安全且つ審美感を高めた。更に、シーズンオフや部屋の掃除時に、こたつとこたつ敷きを分離するとき、開口孔に通したコード部分（脚とこたつ敷きのコード部分）に接続具（コネクタ）を設けて分離性と接続性を高めることで、こたつの組立分離の作業性とコード処理を簡便になった。折畳み式の脚部の折畳みにもコードが邪魔にならない。また、夏場にテーブルとして使用時には、脚の下部に設置したコネクタから電源と繋がるコードのコンセントを外せば良く、外観を損なうことなくこたつと夏場のテーブルとの切り替が簡単にできる。【００１２】  更に、本考案の請求項３の電気こたつの配線によると、コードのクリップ又は保護カバーにより、コード収納溝内に収めたコードが溝から外れず、こたつの使用時や脚部の折畳み時にもコードが溝から飛び出ない。
【図面の簡単な説明】
【００１３】
【図１】  本考案の第１実施形態を示し、電気こたつの側面図である。
【図２】  本考案の第１実施形態を示し、天板の底面図である。
【図３】  本考案の第１実施形態を示し、脚部のコード収納溝とその周辺拡大図である。
【図４】  本考案の第１実施形態の変形例を示し、電気こたつの側面図である。
【図５】  本考案の第２実施形態を示し、電気こたつの側面図である。
【図６】  本考案の第２実施形態を示し、天板の底面図である。
【考案を実施するための形態】
【００１４】  以下、図１乃至図６を参照して本考案の各実施の形態となる電気こたつを説明する。
尚、第１実施形態となる電気こたつにおいて、図１はこたつの正面図、図２は天板の底  面図、図３（ａ）（ｂ）（ｃ）は要部の拡大図である。
【実施例】
【００１５】  本考案の第１の実施の形態となる電気こたつ１０は、その全体構成を図１に示す。電気こたつの配線Ｌは、天板１の下面（裏面）２に取付けたヒーターＨと繋がるコードＣを脚部３の下端部に導く配線である。上記ヒーターに繋がるコードＣは天板裏面２に格子状に配置した枠板４に明けた孔４ｈ、又はここに取付けた保持片Ｆに保持されて天板１の底面四隅に配置した脚部３の一つに至る。勿論、上記コードＣは孔４ｈや保持片Ｆに保持させなくても良い。上記脚部３の上端から下端付近３Ｂに渡ってコード収納溝５を凹設し、上記コード収納溝内にヒーターに繋がるコードＣを収納する。上記コード収納溝５の下端付近５Ｂに設置した接続具のコネクタ７にコードＣの電源側Ｃ１が接続されている。上記コネクタ７には、延長コードＤのプラグＰ２が接続され、部屋の壁面８等に配置したコンセント９に延長コードＤの電源Ｄ１のプラグＰ１でコンセント９と着脱自在に接続されている。
更に、上記電気こたつ１０の配線Ｌにおいて、図３（ａ）（ｂ）（ｃ）に示すように、コードＣを収納したコード収納溝５の表面に、コードのクリップＫ１又はヒンジｈによる開閉式の保護カバーＫ２を設けている。【００１６】  第１実施形態となる電気こたつ１０によると、以下の様に作用する。ヒーターＨから脚部３の上部を介して下部３Ｂに至るコードＣの邪魔を解消した取り巻きとなり、安全且つ審美感を高めた。更に、シーズンオフや部屋の掃除時に、こたつ１０とこたつ敷き８Ｂを分離するとき、開口孔８Ａに通した延長コードＤのプラグＰ２を設けて分離性と接続性を高めることで、こたつの組立分離の作業性とコード処理が簡便に行える。
尚、図４に示すように、こたつ１０とこたつ敷き８Ｂを分離するとき、開口孔８Ａが無い敷き８Ｂにおいても、同様にこたつの組立分離の作業性とコード処理が簡便に行える。また、脚部３の折畳みにも、コードが邪魔にならない。
更に、本考案の電気こたつ１０の配線Ｌによると、コードのクリップＫ１又はヒンジｈによる開閉式の保護カバーＫ２により、コード収納溝５内に収めたコードＣが溝から外れず、こたつの使用時や脚部３の折畳み時にもコードＣが溝５から飛び出ない。【００１７】  本考案の第２の実施の形態となる電気こたつ２０は、その全体構成を図５と図６に示す。電気こたつの天板１の下面２に取付けたヒーターＨと繋がるコードＣを脚部３に導く配線Ｌにおいて、ヒーターに繋がるコードは天板裏面２に格子状に配置した枠板４に明けた孔４ｈ又は保持片Ｆに保持されて天板の底面四隅に配置した脚部３の一つに至る。上記脚部の上端３Ａから下端付近３Ｂに向けて脚部内にコード収納孔３Ｄを明け、上記コード収納孔内にヒーターに繋がるコードＣを収納するとともに、コード収納孔の下端付近に設置した接続具となるコネクタ７にコードの電源側Ｃ１が接続されている。上記コネクタは部屋の壁面８等に配置したコンセント９にプラグＰ１で繋がれる延長コードＤの負荷側Ｄ２に取付けたプラグＰ２がコネクタ７と着脱自在に接続されている。その他は、第１の実施の形態となる電気こたつ１０と同一である。【００１８】  第２の実施の形態となる電気こたつ２０によると、以下の様に作用する。
ヒーターＨから脚部３の上部を介して下部３Ｂに至るコードＣの邪魔を解消した取り巻きとなり、安全且つ審美感を高めた。更に、シーズンオフや部屋の掃除時に、こたつとこたつ敷きを分離するとき、コード収納孔３Ｄに通したコード部分（脚とこたつ敷きのコード部分）に接続具（コネクタ）を設けて分離性と接続性を高めることで、こたつの組立分離の作業性とコード処理を簡便になった。脚部の折畳みにも、コードが邪魔にならない。【００１９】  即ち、本考案の電気こたつの配線によると、ヒーターから脚部の上部を介して下部に至るコードの邪魔を解消した取り巻きとなり、安全且つ審美感を高めた。更に、シーズンオフや部屋の掃除時に、こたつとこたつ敷きを分離するとき、開口孔に通したコード部分（脚とこたつ敷きのコード部分）に接続具（コネクタ）を設けて分離性と接続性を高めることで、こたつの組立分離の作業性とコード処理を簡便になった。折畳み式の脚部の折畳みにもコードが邪魔にならない。また、夏場にテーブルとして使用時には、脚の下部に設置したコネクタ７から電源と繋がるコードＤのプラグＰ２を外せば良く、外観を損なうことなくこたつと夏場のテーブルとの切り替が簡単にできる。【００２０】  更に、電気こたつ１０の配線Ｌによると、コードのクリップ又は保護カバーにより、コード収納溝内に収めたコードＣが溝５から外れず、こたつの使用時や脚部の折畳み時にもコードが溝から飛び出ない。電気こたつ２０の配線Ｌによると、コードＣがコード収納孔３Ｄから外れず、こたつの使用時や脚部の折畳み時にもコード邪魔にならない。
【産業上の利用可能性】
【００２１】  本考案の電気こたつの配線は、上記実施例に限定されず、考案の技術的範囲内での設計変更が可能である。例えば、電気こたつ１０、２０の脚は、折畳式や出来なくても適用できる。更に、脚３は、断面形状を正方形で説明したが、断面形状が長方形でも適用可能である。この場合は、第１実施形態のこたつ１０にのみ適用される。また、こたつの脚の下部にコネクタ７を設けたが、これを省略してコードＣとコードＤを繋げて電源側のプラグＰ１を直接壁面に配置したコンセント９に差込む形式としても良い。
【符号の説明】
【００２２】    １０，２０    電気こたつ
１            天板
２            下面（底面）
３            脚部
３Ｂ          下端付近
３Ｄ          コード収納孔
４            枠板
４ｈ          孔
５            コード収納溝
５Ｂ          下端付近
７            コネクタ
８            壁面
９            コンセント
Ｃ            コード
Ｃ１          電源側
Ｄ            延長コード
Ｆ            支持具
Ｌ            配線
Ｈ            ヒーター
Ｐ１、Ｐ２    プラグ
【図１】
0003216342.tif 000003
【図２】
0003216342.tif 000004
【図３】
0003216342.tif 000005
【図４】
0003216342.tif 000006
【図５】
0003216342.tif 000007
【図６】
0003216342.tif 000008